(57)【要約】【課題】インジケーターの機能を発揮しつつ使い捨ておむつ全体の質感を向上できる使い捨ておむつを提供する。【解決手段】使い捨ておむつ1は、吸収体と、吸収体よりも非肌当接面側に配置されたバックシートと、バックシートより非肌当接面側に配置された外装シートと、バックシートより肌当接面側に配置されるインジケーター65と、を備える。外装シートには、外装シートの非肌当接面側から前記インジケーターを視認可能な第１領域R1と、第１領域R1よりもインジケーターの視認性が高い第２領域R2と、が設けられている。第１領域の少なくとも一部と第２領域の少なくとも一部は、インジケーターに重なって配置されている。【選択図】図５
2014104144.tif 000002
【特許請求の範囲】
【請求項１】
前胴回り域と、後胴回り域と、前記前胴回り域と前記後胴回り域との間に位置する股下域とを有し、
前記前胴回り域から前記後胴回り域に向かう製品長手方向と、前記製品長手方向と直交する製品幅方向と、を有し、
前記股下域を跨ぎ、かつ前記前胴回り域と前記後胴回り域の少なくとも一方に延びる吸収体と、
前記吸収体よりも非肌当接面側に配置された液不透過性のバックシートと、
前記バックシートより前記非肌当接面側に配置された不織布からなる外装シートと、
前記バックシートより肌当接面側に配置され、水分と接触すると視覚的に変化するように構成されているインジケーターと、を備える使い捨ておむつであって、
前記外装シートには、前記外装シートの非肌当接面側から前記インジケーターを視認可能な第１領域と、前記第１領域よりも前記インジケーターの視認性が高い第２領域と、が設けられており、
前記第１領域の少なくとも一部と前記第２領域の少なくとも一部は、前記インジケーターに重なって配置されている、使い捨ておむつ。
【請求項２】
前記バックシートより肌当接面側には、前記製品長手方向及び前記製品幅方向のうち少なくともいずれか一方に伸縮する伸縮部が設けられており、
前記伸縮部の少なくとも一部は、前記インジケーターに重なって配置されている、請求項１に記載の使い捨ておむつ。
【請求項３】
前記バックシートと前記外装シートは、前記バックシート又は前記外装シートに間欠的に塗布された接着剤を介して互いに接合されている、請求項２に記載の使い捨ておむつ。
【請求項４】
前記伸縮部の収縮方向における前記第１領域の寸法は、３．０ｍｍ以上１５．０ｍｍ以下であり、
前記収縮方向と直交する直交方向における前記第１領域の寸法は２．０〜１３．６ｍｍであり、
前記直交方向における前記第１領域の寸法に対する前記収縮方向における前記第１領域の寸法の比率は、１．１〜１．５である、請求項２又は請求項３に記載の使い捨ておむつ。
【請求項５】
前記外装シートには、エンボス加工によって凸部と凹部が形成されており、
前記第１領域は、前記凸部が設けられた領域であって、前記第２領域は、前記凹部が設けられた領域である、請求項１から請求項４のいずれかに記載の使い捨ておむつ。
【請求項６】
前記凸部と凹部６２の厚み方向における寸法差は、０．５５ｍｍ以上である、請求項５に記載の使い捨ておむつ。
【請求項７】
前記インジケーターは、前記製品長手方向又は前記製品幅方向において間隔を空けて複数設けられており、
前記製品長手方向中央又は前記製品幅方向中央に位置する中央インジケーターの面積は、前記中央インジケーターより前記製品長手方向外側又は前記製品幅方向外側に位置する側部インジケーターの面積よりも大きい、請求項１から請求項６のいずれかに記載の使い捨ておむつ。
【請求項８】
前記外装シートの前記インジケーターと重なる重畳領域と前記外装シートの前記重畳領域の周囲の領域とのL*a*b*表色系のL*の色差は、前記インジケーターが変色する前の状態より前記インジケーターが変色した後の状態の方が高い、請求項１から請求項７のいずれかに記載の使い捨ておむつ。
【発明の詳細な説明】
【技術分野】
【０００１】
本発明は、使い捨ておむつに関する。
【背景技術】
【０００２】
従来、前胴回り域と、後胴回り域と、前胴回り域と後胴回り域との間に位置する股下域とを有し、一対の脚回り開口部が形成されると共に、股下域を跨ぎ前胴回り域及び後胴回り域に向かって延びる吸収体を備えた使い捨ておむつが知られている。
【０００３】
特許文献１には、このような使い捨ておむつにおいて、着用補助者に対して使い捨ておむつの交換時期を知らせるために、水分と接触すると視覚的に変化する親水性の剤をインジケーターとして股下域に設ける技術について開示されている。特許文献１の使い捨ておむつは、光線透過率が40％以上である半透明化領域を有しており、半透明化領域のシートより内側の部材に、インジケーターが設けられている。
【先行技術文献】
【特許文献】
【０００４】
【特許文献１】特開２００５-２７８８４号公報
【発明の概要】
【発明が解決しようとする課題】
【０００５】
しかし、上述の使い捨ておむつには、以下の問題点があった。
【０００６】
上述の使い捨ておむつは、インジケーターよりも非肌当接側の面に半透明化領域を有するシートが配置されている。よって、使い捨ておむつの外側面にインジケーターが明確に表示され、インジケーターが目立つように構成されている。また、インジケーターは、下着にはなく、使い捨ておむつ独自の構成である。インジケーターが目立つことによって、使い捨ておむつであることが明示され、かつ使い捨ておむつの機能面が強調される。
【０００７】
近年、使い捨ておむつを選択する際に、使い捨ておむつの機能面のみならず、下着のような柔軟さや肌触り等の質感を求めるユーザが増えている。このようなユーザは、使い捨ておむつの機能を備えつつ下着のような柔軟性のある使い捨ておむつが求められる傾向にある。使い捨ておむつのインジケーターが目立ちすぎることにより、ユーザによっては、使い捨ておむつの機能面が強調され過ぎると感じ、使い捨ておむつ全体の質感に対する評価が向上しないことがある。
【０００８】
そこで、本発明は、上述の課題に鑑みてなされたものであり、インジケーターの機能を発揮しつつ使い捨ておむつ全体の質感を向上できる使い捨ておむつを提供することを目的とする。
【課題を解決するための手段】
【０００９】
本開示に係る使い捨ておむつ（使い捨ておむつ10）は、前胴回り域と、後胴回り域と、前記前胴回り域と前記後胴回り域との間に位置する股下域とを有し、前記前胴回り域から前記後胴回り域に向かう製品長手方向と、前記製品長手方向と直交する製品幅方向と、を有し、前記股下域を跨ぎ、かつ前記前胴回り域と前記後胴回り域の少なくとも一方に延びる吸収体と、前記吸収体よりも非肌当接面側に配置された液不透過性のバックシートと、前記バックシートより前記非肌当接面側に配置された不織布からなる外装シートと、前記バックシートより肌当接面側に配置され、水分と接触すると視覚的に変化するように構成されているインジケーターと、を備える使い捨ておむつであって、前記外装シートには、前記外装シートの非肌当接面側から前記インジケーターを視認可能な第１領域と、前記第１領域よりも前記インジケーターの視認性が高い第２領域と、が設けられており、前記第１領域の少なくとも一部と前記第２領域の少なくとも一部は、前記インジケーターに重なって配置されていることを要旨とする。
【発明の効果】
【００１０】
本開示に係る使い捨ておむつによれば、インジケーターの機能を発揮しつつ使い捨ておむつ全体の質感を向上できる使い捨ておむつを提供することができる。
【図面の簡単な説明】
【００１１】
【図１】本実施形態に係る使い捨ておむつの展開平面図である。
【図２】図１に示したF1-F1線に沿った使い捨ておむつの断面図である。
【図３】図１に示したF2-F2線に沿った使い捨ておむつの断面図である。
【図４】図１に示す使い捨ておむつの展開背面図である。
【図５】図４に示したＡ部分を拡大した図である。
【図６】図５に示したF3-F3線に沿った断面図である。
【発明を実施するための形態】
【００１２】
次に、本発明に係る使い捨ておむつ10の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１３】
したがって、具体的な寸法などは以下の説明を参酌して判断すべきである。また、図面相互間においても互いの寸法の関係や比率が異なる部分が含まれ得る。
【００１４】
なお、本実施形態では、テープ型の使い捨ておむつ10を例に挙げて説明を行うが、本発明は、パンツ型の使い捨ておむつ10にも適用可能である。
【００１５】
（１）使い捨ておむつの全体概略構成
図１は、本実施形態に係る使い捨ておむつ10の展開平面図である。図２は、図１に示したF1-F1線に沿った使い捨ておむつの断面図である。図３は、図１に示したF2-F2線に沿った使い捨ておむつの断面図である。図４は、図１に示す使い捨ておむつの展開背面図である。図１及び図４に示す展開図は、使い捨ておむつを構成するトップシート50、サイドフラップ70等の皺が形成されない状態まで、レッグ伸縮部75及びレッグサイドギャザー80の弾性部材81を伸長させた状態の図である。
【００１６】
使い捨ておむつ10は、前胴回り域20と、股下域25と、後胴回り域30とを有する。前胴回り域20は、着用者の前胴回り部（腹部分）と接する部分である。また、後胴回り域30は、着用者の後胴回り部（背部分）と接する部分である。股下域25は、前胴回り域20と後胴回り域30との間に位置する。
【００１７】
また、使い捨ておむつ10には、一対のレッグ開口部35が形成される。レッグ開口部35は、使い捨ておむつの製品幅方向の側端部に設けられており、使い捨ておむつが着用者に着用された状態で、着用者の脚回りに沿って配置される部分である。
【００１８】
なお、本実施形態では、前胴回り域20から後胴回り域30に向かう方向を製品長手方向Lと呼び、製品長手方向Lと直交する方向を製品幅方向Wと呼ぶ。
【００１９】
使い捨ておむつ10は、股下域25を跨ぎ、かつ股下域25から前胴回り域20及び後胴回り域30のうち少なくともいずれか一方に向かって延びる吸収体40を備える。吸収体40は、吸収性コア40aとコアラップ40bとによって構成される。
【００２０】
吸収性コア40aは、従来の使い捨ておむつと同様であり、粉砕パルプや高吸収ポリマーなど、公知の部材や材料を用いて適宜構成することができる。吸収性コア40aは、シート状のコアラップ40bによって包まれている。
【００２１】
コアラップ40bは、吸収性コア40aを被覆するシートである。コアラップ40bの少なくとも肌面側の一部は、透液性を有する各種の繊維不織布もしくはティッシュシートによって構成される。例えば、質量約10〜30g/m2のエアースルー繊維不織布、スパンボンド不織布、SMS（スパンボンド−メルトブローン−スパンボンド）不織布、または質量約10〜30g/m2のティッシュシートを用いることができる。
【００２２】
吸収体40の表面側（肌当接面側）には、液透過性のトップシート50が備えられる。また、吸収体40の裏面側（非肌当接面側）には、液不透過性のバックシート60aが備えられる。液不透過性のバックシート60aよりも裏面側（非肌当接面側）には、不織布からなる外装シート60が備えられる。また、バックシートより肌当接面側には、水分と接触すると視覚的に変化するように構成されているインジケーター65が備えられている。インジケーター65及び外装シート60の構成については、後述にて詳細に説明する。
【００２３】
吸収体40の製品幅方向Wにおける側縁部には、サイドフラップ70がそれぞれ備えられる。サイドフラップ70は、前胴回り域20、股下域25、及び後胴回り域30を跨ぎ、かつ吸収体40よりも製品幅方向外側に配置される。サイドフラップ70は、１枚または２枚以上の複数枚重ねた不織布によって構成されている。また、一対のサイドフラップ70には、ファスニングテープ90がそれぞれ備えられる。
【００２４】
ファスニングテープ90は、一対であって、後胴回り域30において、製品幅方向Wに沿って延び、前胴回り域20の非肌当接面に止着されることにより、使い捨ておむつ10を着用者の身体に保持する。
【００２５】
ターゲット部95は、一対であって、前胴回り域内の非肌当接面に配置され、一対のファスニングテープ90がそれぞれ止着するように構成されている。
【００２６】
本実施形態において、前胴回り域20、後胴回り域30、及びファスニングテープ90によって胴回り保持部が構成される。後胴回り域30の胴回り保持部は、ファスニングテープ90の係合部材が設けられた領域から幅方向に延びる範囲である。前胴回り域20の胴回り保持部は、ターゲット部95が設けられた領域から幅方向に延びる範囲である。
【００２７】
また、使い捨ておむつ10は、股下域25の吸収体に重なる領域に配置されたクロッチ伸縮部200を備えている。なお、クロッチ伸縮部200の構成については、後述にて詳細に説明する。
【００２８】
サイドフラップ70には、レッグ開口部35よりも製品幅方向内側に配置され、製品長手方向Lに伸縮可能な一対のレッグ伸縮部75が備えられる。
【００２９】
レッグ伸縮部75は、製品長手方向Ｌにおいて、クロッチ伸縮部200よりも長いと共に、製品幅方向Ｗにおいて、クロッチ伸縮部200よりも外側に備えられている。
【００３０】
レッグ伸縮部75は、レッグ開口部35を製品長手方向に伸縮できるように構成されていればよく、レッグ開口部35に沿って配置されていてもよいし、一部がレッグ開口部35に対して傾斜した状態で配置されていてもよい。
【００３１】
また、レッグ伸縮部75は、伸縮性シートや糸ゴム等によって構成されている。レッグ伸縮部75は、実質的に製品長手方向に収縮する部分であり、収縮力が発揮されない状態で伸縮性シートが配置された部分を除く概念である。
【００３２】
また、一対のレッグ伸縮部75の内側（製品幅方向Wにおける中央寄り）には、製品長手方向Lに沿って延びる一対のレッグサイドギャザー80が備えられる。レッグサイドギャザー80は、サイドフラップ70の製品幅方向の内側端部に設けられており、レッグ伸縮部75よりも製品幅方向内側に配置される起立性の伸縮ギャザーである。レッグサイドギャザー80は、レッグ伸縮部75よりも製品幅方向内側に配置されている。レッグサイドギャザー80は、従来において周知の構成を採用することができ、具体的には、サイドフラップ70と別のシート材によって構成されていてもよい。
【００３３】
また、製品幅方向における一対のファスニングテープ間には、製品幅方向に伸縮可能な腰回り伸縮部85が設けられている。腰回り伸縮部85は、ファスニングテープ間を製品幅方向に収縮する。
【００３４】
本実施形態において、腰回り伸縮部85は、伸縮性シートによって構成されている。腰回り伸縮部85を構成する部材については、特に限定されないが、出来る限り薄くて曲げ剛性が低く、幅入り率が小さいものを用いることが好ましい。曲げ剛性を低い材料によって腰回り伸縮部85を構成することにより、腰回り伸縮部85が身体に沿って曲がりやすくなり、着用者の身体に負荷をかけずに腰回り伸縮部85を身体に沿わせてフィットさせることができる。また、幅入りが小さい材料によって腰回り伸縮部85を構成することにより、使い捨ておむつが製品幅方向に伸長した場合における使い捨ておむつの製品長手方向の収縮を抑制し、着用者の腰回りにおいて使い捨ておむつが股下側に引き下がることを抑制できる。
【００３５】
本実施形態では、腰回り伸縮部85として、目付けが20〜45ｇ/ｍ２の伸縮性フィルムを用いた。
【００３６】
腰回り伸縮部85は、非伸長状態（自然状態）における長さの1.2〜2.5倍に引き延ばされた後、ホットメルト接着剤又は加熱処理等によって外装シート60に接着される。
【００３７】
本実施形態では、腰回り伸縮部85は、外装シート60とバックシート60aとの間に配置されている。しかし、コアラップ40bが吸収性コア40aよりも製品長手方向外側に延出する構成にあっては、腰回り伸縮部85は、コアラップ40bと、バックシート60a又は外装シート60と、の間に配置されていてもよい。腰回り伸縮部の位置は、特に限定されない。また、吸収体が配置されない領域にあっては、サイドフラップ70と、バックシート60a又は外装シート60と、の間に配置されていてもよい。
【００３８】
なお、本実施形態に係る腰回り伸縮部は、製品幅方向に伸縮するように構成されているが、腰回り伸縮部が製品幅方向と製品長手方向に伸縮するように構成されていてもよい。
【００３９】
ファスニングテープ90は、後胴回り域30に対応するサイドフラップ70の領域に取り付けられている。ファスニングテープ90は、サイドフラップ70に連結された基材シート91と、複数の係合部材としての係合フック（図示せず）が設けられ、基材シート91に固定されたフックシート92と、を備える。フックシート92は、係合部材が設けられた領域であり、上述の胴回り保持部は、フックシート92から製品幅方向に延びる領域である。
【００４０】
フックシート92は、基材シート91に固定、具体的には接合されている。フックシート92と基材シート91との接合は、ファスニングテープ90の剛性が必要以上に高くなることがないようされていることが好ましい。具体的には、フックシート92と基材シート91とは、点状、線状或いはスパイラル状のような間欠的に塗布されたホットメルト接着剤によって接合されていることが好ましい。なお、フックシート92と基材シート91とは、熱シールなどで接合されてもよい。
【００４１】
基材シート91は、１枚または２枚以上の複数枚重ねた不織布によって構成されている。基材シート91としては、スパンボンド（SB）またはスパンボンド−メルトブローン−スパンボンド（SMS）などの製法によって製造された不織布を用いることができる。基材シート91を構成する不織布の目付け（複数枚の場合は合計目付け）は、30〜120g/m2であり、好ましくは40〜90g/m2である。
【００４２】
（２）クロッチ伸縮部の構成
次に、クロッチ伸縮部200の形状について説明する。
【００４３】
クロッチ伸縮部200は、吸収体40の他の部分よりも、使い捨ておむつ10の着用者への装着時において、股下域25の一部に平坦な形状を維持できるように構成されている。
【００４４】
ここで、クロッチ伸縮部200は、製品長手方向Ｌに伸縮可能であってもよいし、製品幅方向Ｗに伸縮可能であってもよいし、製品長手方向Ｌ及び製品幅方向Ｗの両方に伸縮可能であってもよい。
【００４５】
例えば、クロッチ伸縮部200は、レッグ伸縮部75とは個別独立して設けられており、吸収性コア40aと重なる位置（本実施形態では、吸収性コア40aを包むコアラップ40ｂとバックシート60aとの間の位置）において、かかる位置における吸収性コア40aの製品幅方向Ｗの長さ（自然状態）の６０％以上を収縮させるように構成されている。
【００４６】
このように、クロッチ伸縮部200によって吸収性コア40aが配置された部分を収縮させることにより、吸収性コア40aが縮み、吸収性コア40aが縮まない部分と比較して平坦な形状を維持し易くなる。
【００４７】
一方、クロッチ伸縮部200よりも製品長手方向Ｌ外側に位置する前胴回り域20や後胴回り域30に位置する吸収性コア40aは、クロッチ伸縮部200によって収縮していない。
【００４８】
したがって、ファスニングテープ90により、着用者の腰やウェスト周りに保持された状態において、使い捨ておむつ10の股下域25に平坦な形状で維持されるクロッチ伸縮部200が過度に身体に密着することなく、結果、クロッチ伸縮部200が適度に身体に沿って配置される。
【００４９】
また、クロッチ伸縮部200が、製品長手方向Ｌに沿って伸縮可能である場合、前胴回り域20及び後胴回り域30が、クロッチ伸縮部200の収縮によって立ち上がり易くなり、着用時には、着用者の股下部にて身体に沿って平坦な股下域を形成することができる。
【００５０】
その結果、クロッチ伸縮部200から前胴回り域20及び後胴回り域30が立ち上がるので、使い捨ておむつ10の着用者へのフィット性が向上する。
【００５１】
すなわち、クロッチ伸縮部200の収縮によって、使い捨ておむつ10の股下域25が、着用者の股下部に配置されるように、安定して使い捨ておむつ10を装着することができる。
【００５２】
また、上述のように、クロッチ伸縮部200は、伸縮可能となるように構成されているので、使い捨ておむつ10の股下域25の一部が、収縮して使い捨ておむつ10の着衣側（非肌当接面側）の表面に凹凸の皺が形成される。この結果、着用補助者に対して、視覚的かつ触感的に、本実施形態に係る使い捨ておむつ10においてクロッチ部が明確に存在することを想起させることが可能となる。
【００５３】
なお、クロッチ伸縮部200は、伸縮性シートによって構成されていてもよい。伸縮性シートによってクロッチ伸縮部200を構成することにより、伸縮性シートを配置した領域の吸収性コア40aが一様に縮められ、平坦な形状維持がより容易になる。なお、伸縮性シートは、例えば、レッグ伸縮部75と同様の伸縮性シートによって構成することができる。
【００５４】
例えば、かかる伸縮性シートとしては、ウレタンやスチレンのような熱可塑性エラストマ樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シート等を用いることができる。
【００５５】
また、かかる伸縮性シートの代わりに、ポリウレタン弾性繊維や天然ゴムからなる糸状・帯状の伸縮可能な弾性部材を、互いに並列に並べることによってクロッチ伸縮部200を構成してもよい。
【００５６】
かかる場合、吸収性コア40aの剛性及び使い捨ておむつ10を構成する他の部材の剛性を考慮して、用いる弾性部材の太さや配置するピッチを適宜選択できるが、使い捨ておむつ10本体を自然状態（非伸張状態）とした際に吸収性コア40aの製品幅方向Ｗにおける側縁部全域が収縮した状態となるようにすることが好ましい。
【００５７】
また、クロッチ伸縮部200によって吸収性コア40aを一様に縮めるためには、弾性部材同士の間隔を、７ｍｍ以下とすることが好ましく、５ｍｍ以下とすることがより好ましい。また、吸収性コア40aを一様に縮めるために、隣り合う弾性部材の間隔の差を、２ｍｍ以下とすることが望ましい。
【００５８】
具体的には、クロッチ伸縮部200の伸縮率は、１.１倍以上１．５倍以下であることが好ましい。例えば、本実施形態では、クロッチ伸縮部200の伸縮率は、１．２５倍に設定されている。
【００５９】
伸縮率は、収縮方向（本実施形態では、製品長手方向Ｌ）におけるクロッチ伸縮部200の伸縮の程度を意味し、以下のように規定される。
【００６０】
伸縮率＝（最大伸張状態におけるクロッチ伸縮部200の収縮方向における長さ）/（自然状態におけるクロッチ伸縮部200の収縮方向における長さ）
なお、本明細書において、かかる伸縮率は、例えば、次のように測定されるものとする。
【００６１】
第１に、使い捨ておむつ10がパッケージ等に封入されている場合には、パッケージから使い捨ておむつ10を取り出し、その状態にて20℃±２℃、相対湿度６０％±５％ＲＨの雰囲気下において６０分間放置し、収縮方向に沿ってクロッチ伸縮部200の長さを測定する。この長さを、「自然状態のクロッチ伸縮部200の長さ」とする。
【００６２】
第２に、かかる状態（すなわち、自然状態）における所望領域の収縮方向における長さ、及び、自然状態から弾性部材による皺が目視にて確認できない状態まで延伸した時の所望領域の収縮方向における長さを測定する。この長さを、「伸長状態におけるクロッチ伸縮部200の長さ」とする。
【００６３】
これら測定結果を用い、上述の式にて算出することで伸長率が測定される。
【００６４】
このように、クロッチ伸縮部200の伸縮率を、１．１倍以上１．５倍以下とすることによって、着用者の皮膚の伸縮に好適に追従することができる。
【００６５】
例えば、着用者が、身体前側が縮むような前屈みの姿勢をとると、着用者の臀部側の皮膚において、身体を伸ばした状態に対して30％程度伸びる部位が存在する。
【００６６】
つまり、クロッチ伸縮部200の伸縮率を１．１倍以下とすると、自然状態におけるクロッチ伸縮部200の収縮が十分でなく、クロッチ伸縮部200が設けられていない場合と比較して、使い捨ておむつ10の股下域25における吸収体配置領域の収縮が小さく、使い捨ておむつ10の股下域25が、着用者の股下部において身体に沿うように平坦な形状をとることが不十分になってしまい、使い捨ておむつ10が、着用者の身体からズレ易くなってしまう。
【００６７】
一方、クロッチ伸縮部200の伸縮率を１．５倍よりも大きくすると、クロッチ伸縮部200の収縮方向における収縮寸法が大きくなり過ぎるため、クロッチ伸縮部200が存在する領域が、身体に沿うよりも密着する状態となり易く、使い捨ておむつ10が、着用者の下方にズレ易くなってしまう。
【００６８】
また、クロッチ伸縮部200の製品長手方向Ｌにおける収縮量は、使い捨ておむつ10の製品長手方向Ｌにおける長さの２〜８％となるように構成されていてもよい。
【００６９】
なお、収縮量は、皺が十分に小さくなり、サンプルの表面が平滑に近くなるように伸長した状態での長さ「ｂ（ｍｍ）」と、サンプルの収縮方向に沿う向きにおける自然状態での長さ「ａ（ｍｍ）」との差であり、（ｂ-ａ）によって算出されることができる。
【００７０】
本発明者は、クロッチ伸縮部200の製品長手方向Ｌにおける収縮量を、使い捨ておむつ10の製品長手方向Ｌにおける長さの２〜８％とすると、使い捨ておむつ10を着用者に対して装着する過程において、クロッチ伸縮部200が、好ましく着用者の身体に沿い易くなることを確認することができた。
【００７１】
ここで、クロッチ伸縮部200の製品長手方向Ｌにおける収縮量を、８％より大きくすると、クロッチ伸縮部200が、縮み過ぎてしまい、使い捨ておむつ10の製品長手方向Ｌにおける長さが足りず、使い捨ておむつ10を着用者の身体に付け難くなったり、使い捨ておむつ10及び着用者の身体が、股下域25において、過度に密着してズレ易くなったりしてしまう。
【００７２】
一方、クロッチ伸縮部200の製品長手方向Ｌにおける収縮量を、２％以下とすると、使い捨ておむつ10を着用者の身体に近付けるというクロッチ伸縮部200の効果そのものが発現し難くなってしまう。
【００７３】
また、製品長手方向Ｌにおけるクロッチ伸縮部200の中心Ｏ２は、製品長手方向Ｌにおける使い捨ておむつ10の中心Ｏ１よりも、前胴回り域20側に配置されている。また、クロッチ伸縮部200は、製品長手方向Ｌにおける使い捨ておむつ10の中心Ｏ１を跨ぐように配置されている。
【００７４】
また、クロッチ伸縮部200は、製品長手方向Ｌにおける使い捨ておむつ10の中心Ｏ１を含む位置に形成される。
【００７５】
また、後胴回り域30の製品長手方向Ｌにおける長さ（自然状態）は、前胴回り域20の製品長手方向Ｌにおける長さ（自然状態）よりも長くなるように構成されている。
【００７６】
具体的には、後胴回り域30の製品長手方向Ｌにおける長さ（自然状態）と前胴回り域20の製品長手方向Ｌにおける長さ（自然状態）との比率は、１.１以上１.６以下となるように構成されていることが好ましく、１.２以上１.５以下となるように構成されていることがより好ましい。
【００７７】
かかる比率が、１.６を超えると、使い捨ておむつ10の腹側と背側のバランスが崩れ、股下域25にクロッチ伸縮部200を沿わせた場合に、前胴回り域20が過度に密着してしまったり、後胴回り域30が必要以上に覆われたりしてしまう。
【００７８】
具体的には、着用者の身体は、一般的に、下腹部よりも臀部がより出っ張った状態となっているため、クロッチ伸縮部200と着用者の股下部とを合わせた上で、上述の比率を上述の範囲とすることによって、複雑な着用者の身体の形状に対して使い捨ておむつ10がより適した形状となる。
【００７９】
つまり、寸法が足りない部分が生じることによる使い捨ておむつ10の部分的な突っ張りや、寸法が余る部分が生じることによる使い捨ておむつ10と身体との間の不要の隙間を防止できる。
【００８０】
また、特に、歩行開始前或いは歩行を開始した頃に用いる乳幼児の場合、身体が腹側に向かって丸まった姿勢をとることが好ましいとされており、そのような姿勢では臀部側の皮膚が伸びた状態になり易く、上述の比率を上述の範囲とすることによって、このような姿勢を取りやすい乳幼児の身体に適した状態となる。
【００８１】
一例を挙げると、使い捨ておむつ10の製品長４００ｍｍ（製品長手方向Ｌにおける自然状態の長さ）に対して、前胴回り域20が１３０ｍｍ（製品長手方向Ｌにおける自然状態の長さ）に設定され、クロッチ伸縮部が８０ｍｍ（製品長手方向Ｌにおける自然状態の長さ）に設定され、後胴回り域30が１００ｍｍ（製品長手方向Ｌにおける自然状態の長さ）に設定される。
【００８２】
この場合、前胴回り域20と後胴回り域30との長さ（自然状態）の比率は、約１.４６である。このような比率とすることによって、クロッチ伸縮部200のみならず、使い捨ておむつ10の製品長手方向Ｌ全体をさらに着用者の身体に沿わせることができる。
【００８３】
すなわち、かかる構成によれば、クロッチ伸縮部200の前後方向位置が決まることで、着用者の身体に使い捨ておむつ10が正しく適合して、使い捨ておむつ10のデザインが連動できるようになるという本発明の狙いをより確実に実現することができる。
【００８４】
クロッチ伸縮部200が収縮した状態は、クロッチ伸縮部200よりも前胴回り域20側及び後胴回り域30側の吸収体配置領域における非収縮状態と比べると異なった態様にあるため、着用者に使い捨ておむつ10を着用させる場合には、クロッチ伸縮部200を着用者の股下部に合わせて装着させることが容易となる。
【００８５】
また、かかる配置によれば、クロッチ伸縮部200が設けられている吸収性コア40aの部位が収縮した状態では、かかる部位の剛性又は厚みが、他の吸収性コア40aの部位の剛性又は厚みと異なるようになるため、着用補助者が、使い捨ておむつ10の股下域25において着用者の股下部と一致させる部位を認識し易くなる。
【００８６】
更には、使い捨ておむつ10の装着後には、クロッチ伸縮部200は、着用者の股下部にて平坦な形状を維持し、使い捨ておむつ10そのものが、三次元的な形状となり、使い捨ておむつ10の股下域25を着用者の股下部に沿わせることができるため、使い捨ておむつ10の股下域25と着用者の股下部とが一致して装着されることがより確実となる。
【００８７】
図１に示すように、吸収体40の股下域25には、切欠部110及び切欠部120が形成されている。切欠部110及び切欠部120は、吸収体40を構成する吸収性コア40aが存在しない領域である。
【００８８】
本実施形態において、切欠部110及び切欠部120は、吸収性コア40aの目付けが他の吸収性コア40aの部位よりも低い低剛性部に該当する。
【００８９】
なお、切欠部110及び切欠部120を形成する代わりに、吸収性コア40aの目付を他の吸収性コア40aの部位よりも低くなるようにしてもよい。
【００９０】
図１に示すように、切欠部110及び切欠部120は、クロッチ伸縮部200の製品長手方向Ｌにおける縁部に沿って形成されている。
【００９１】
なお、切欠部110及び切欠部120が形成されている場合であっても、前胴回り域20及び後胴回り域30に位置する吸収性コア40aと、股下域25に位置する吸収性コア40aとは、完全に切り離されることなく連続していることが好ましい、特に、製品幅方向Ｗにおいて連続していることが好ましい。
【００９２】
切欠部110及び切欠部120は、製品幅方向Ｗの外側に行くに連れて、製品長手方向Ｌにおける長さ（自然状態）が長くなるように構成されている。
【００９３】
このような形状により、吸収性コア40aの製品幅方向Ｗの外側が、より縮み易くなるため、使い捨ておむつ10に、平坦な「底部」を形成することができる。
【００９４】
また、切欠部110よりも前胴回り域20側に位置する吸収性コア40a及び切欠部120よりも後胴回り域30側に位置する吸収性コア40aは、平坦な「底部」から立ち上がり、着用者の身体（腹部及び臀部）の丸みに沿うように湾曲し易くなるため、使い捨ておむつ10そのものの形状が着用者の体の形により近づくことができる。
【００９５】
図１に示すように、切欠部110の前胴回り域20側の縁部及び切欠部120よりも後胴回り域30側の縁部は、円弧状であってもよい。
【００９６】
具体的には、切欠部110の前胴回り域20側の縁部は、円弧の中心が、かかる縁部よりも後胴回り域30側に位置するような形状であり、切欠部120の後胴回り域30側の縁部は、円弧の中心が、かかる縁部よりも前胴回り域20側に位置するような形状である。
【００９７】
このような形状により、使い捨ておむつ１の着用者の身体の丸みに沿った変形が、より容易かつ顕著に起き易い。
【００９８】
切欠部110の製品長手方向Ｌの前胴回り域20側の縁部は、第１変曲部115を構成し、切欠部120の製品長手方向Ｌの後胴回り域30側の縁部は、第２変曲部125を構成する。
【００９９】
なお、第１変曲部115及び第２変曲部125は、製品幅方向Ｗに沿って延びており、使い捨ておむつ10の曲げ基点となるように構成されている。
【０１００】
図１及び図２に示すように、本実施形態に係る使い捨ておむつ10では、自然状態において、クロッチ伸縮部200は、製品幅方向Ｗの中心線Ｏを跨いで左右対称であってもよいし、製品幅方向Ｗの中心線Ｏを境にして、クロッチ伸縮部200の左右の幅の差が10％以内とされていてもよい。
【０１０１】
本実施形態に係る使い捨ておむつ10によれば、クロッチ伸縮部200が、着用者の身体の中心を跨いで着用者の股下部に装着される状態とすることができる。
【０１０２】
また、本実施形態に係る使い捨ておむつ10では、クロッチ伸縮部200は、上述の胴回り保持部及び弾性部材７１と離間して設けられている。
【０１０３】
さらに、本実施形態に係る使い捨ておむつ10では、クロッチ伸縮部200の製品長手方向Ｌの前胴回り域20側及び後胴回り域30側に、非伸縮領域が設けられている。
【０１０４】
また、本実施形態に係る使い捨ておむつ10では、図１及び図２に示すように、吸収性コア40aの製品幅方向Ｗの長さは、前胴回り域20から股下域25に向かって短くなり、後胴回り域30から股下域25に向かって短くなるように構成されている。
【０１０５】
ここで、クロッチ伸縮部200は、吸収性コア40aの製品幅方向Ｗの長さが所定長よりも短くなっている領域に設けられている。
【０１０６】
吸収性コア40aの製品幅方向Ｗの長さが所定長よりも短くなっている領域では、吸収体40の吸収容量が少ないため、着用者の排泄液は、かかる領域における吸収体40では吸収されず、かかる領域の製品長手方向Ｌの前胴回り域20側及び後胴回り域30側における吸収体40によって吸収されることになりやすい。
【０１０７】
その結果、インジケーター65の変色が、かかる領域から前胴回り域20側及び後胴回り域30側に伝搬しやすい。 
一般的に、クロッチ伸縮部200が設けられている領域では、クロッチ伸縮部200による皺が発生するため、着用補助者は、かかる領域と非伸縮領域とで、かかるインジケーター65の変色の様子が異なって見える。
【０１０８】
以上の点を考慮すると、上述の構成によれば、着用補助者は、かかる領域におけるインジケーター65の変色では、使い捨ておむつ10を交換せず、かかる領域の製品長手方向Ｌの前胴回り域20側及び後胴回り域30側の非伸縮領域におけるインジケーター65の変色で、使い捨ておむつ10を交換する目安とすることも可能となる。
【０１０９】
その結果、使い捨ておむつ10の過度の交換を抑えつつ、適切な使い捨ておむつ10の交換タイミングを知らせることができる。
【０１１０】
（３）インジケーターの構成
本実施形態に係る使い捨ておむつ10には、インジケーター65が備えられている。インジケーター65は、クロッチ伸縮部200を跨いで製品長手方向Ｌに延びており、水分と接触すると視覚的に変化する変色剤によって構成されている。
【０１１１】
かかる構成によれば、クロッチ伸縮部200が、装着時に、着用者の身体（股下部）に沿うことによって、インジケーター65が、着用者の排泄口に近い位置に安定して存在することができるようになる。
【０１１２】
その結果、インジケーター65が偏って変色するという事態や着用者の背中側でのみインジケーター65の変色が発生するという事態を回避することができる。
【０１１３】
さらに、装着時に、着用者の排泄口及びクロッチ伸縮部200が近いので、最初のインジケーター65の変色を安定して使い捨ておむつ10の股下域25において発生させることができる。
【０１１４】
かかるインジケーター65は、図４に示すように、製品幅方向Ｗの中心線を通り、製品長手方向に延びる仮想線に対して概平行に複数本延びるように構成されていてもよい。
【０１１５】
また、クロッチ伸縮部200が、液不透過性の伸縮性シートで構成されている場合、インジケーター65は、伸縮性シートの肌当接面側に配置される。一方、クロッチ伸縮部200が、液透過性の伸縮性シートで構成されている場合、インジケーター65は、クロッチ伸縮部200の非肌当接面側に配置される。
【０１１６】
なお、上述のインジケーター65の変化（変色）は、使い捨ておむつ10の非肌当接面側から視認可能である。例えば、インジケーター65が、伸縮性シートの肌当接面側に配置されている場合には、伸縮性シートの光線透過率は、６０％以上８７％以下であることが好ましい。かかる構成によれば、使い捨ておむつ10の非肌当接面側から、インジケーター65の変化（変色）について視認可能 となる。
【０１１７】
製品幅方向Ｗにおけるクロッチ伸縮部２００の幅は、吸収性コア４０ａのクロッチ伸縮部が存在する領域における、製品幅方向Ｗにおける吸収性コア４０ａの幅の１／２以上である。
【０１１８】
従って、クロッチ伸縮部２００によって吸収性コア４０ａが配置された部位の一定幅以上を収縮させることによって、吸収性コア４０ａが縮み、着用者の身体に近づくように吸収性コア４０ａが持ち上がる。
【０１１９】
このような吸収性コア４０ａの持ち上がり股下域で実現することによって、使い捨ておむつ１０と着用者との間の隙間を減少することができる。製品幅方向Ｗにおけるクロッチ伸縮部２００の幅が製品幅方向Ｗにおける吸収体４０（吸収性コア４０ａ）の幅の6０％以上である場合、より好ましくは80%以上である場合には、使い捨ておむつ１０と着用者との間の隙間をさらに減少することができる。
【０１２０】
更には、クロッチ伸縮部２００の幅が吸収性コア４０ａの幅と比較して狭すぎると、上述した吸収性コア４０ａを持ち上げる効果が得られにくい。一方、クロッチ伸縮部２００の幅が吸収性コア４０ａの幅と比較して広すぎると、吸収性コア４０ａが配置されていない部位が、吸収性コア４０ａが配置されている部位よりも収縮した状態で、使い捨ておむつ１０が装着される。これによって、吸収性コア４０ａが配置されていない部位を構成する部材が重なりあって、クロッチ伸縮部２００が硬くなり、使い捨ておむつ１０の履き心地が損なわれる。
【０１２１】
例えば、吸収性コア４０ａのクロッチ伸縮部が存在する領域における、最も幅が狭い部位の寸法（伸長状態における）１２０ｍｍである場合において、クロッチ伸縮部２００の幅は、６０〜１１０ｍｍであることが好ましい。さらに好ましくは、クロッチ伸縮部２００の幅は、９０〜１１０ｍｍであることが好ましい。
【０１２２】
製品幅方向Ｗにおいて吸収性コア４０ａの幅が最も狭い部位は、製品長手方向中心線に対して１０〜６０ｍｍ前側に設けられることが好ましい。好ましくは、製品幅方向Ｗにおいて吸収性コア４０ａの幅が最も狭い部位は、製品長手方向中心線に対して２０〜４０ｍｍ前側に設けられる。クロッチ伸縮部２００は、製品幅方向Ｗにおいて吸収性コア４０ａの幅が最も狭い部位を跨がって形成されることが好ましい。
【０１２３】
着用者の左右の大腿部が互いに最も近接する位置は、着用者の身体の前後方向における中心よりも前側である。従って、クロッチ伸縮部２００の収縮力によって、製品幅方向Ｗにおいて吸収性コア４０ａの幅が最も狭い部位を着用者の左右の大腿部が互いに最も近接する位置に積極的に配置することができる。言い換えると、母親などの着用補助者が吸収性コア４０ａの位置合わせを行わなくても、吸収性コア４０ａの位置合わせが自然と行われる。
【０１２４】
また、インジケーター65は、吸収性コア40aとクロッチ伸縮部200とが重なる領域から製品長手方向Ｌにクロッチ伸縮部200を超えて延びるように構成されている。
【０１２５】
かかる構成によれば、クロッチ伸縮部200により吸収性コア40a及びインジケーター65を、着用者の身体に沿うように持ち上げ、着用者の身体に沿った状態にて、使い捨ておむつ10を安定して装着できる。
【０１２６】
また、外装シート60のインジケーターと重なる重畳領域と外装シート60の重畳領域の周囲の領域とのL*a*b*表色系のL*の色差は、インジケーターが変色する前の状態よりインジケーターが変色した後の状態の方が高くなるように構成されている。
【０１２７】
このような構成によれば、変色後のインジケーターをより目立たせることができ、インジケーターによって交換時期を知らせ易くできる。更に、例えば、変色前の状態のインジケーターを目立たせないように構成することにより、体液が排出される前の状態でインジケーターの視認性を低下させることができる。使い捨ておむつの機能面の表示を抑制し、下着のような質感を表現できる。
【０１２８】
具体的には、外装シート60の重畳領域の周囲の領域の色は、外装シート60自体の色であり、一般的には白色が多い。白色のＬ値は、１００である。このような外装シート60を有する使い捨ておむつにおいて変色前の重畳領域を黄色（Ｌ値：９５）とし、変色後の重畳領域を青色（Ｌ値：７０）とすることができる。このような構成によれば、変色前のインジケーターを目立たせないように構成しつつ、変色後のインジケーターを目立たせるように構成できる。
【０１２９】
なお、光線透過率の測定は、JIS-K7105の規格に準拠したものであって、色差計（日本電色工業（株） 交照測光式色差計Z-300A）を用いた。具体的には、幅5mm，長さ5mmのサンプルを濁度計に挟んでTT値を求め、求めたTT値を全光線透過率（％）とすることで求めることができる。
【０１３０】
（４）外装シートの構成
次いで、図５及び図６に基づいて外装シート60について詳細に説明する。図５は、図４に示すＡ部分を拡大した模式背面図であり、図６は、図５に示したF3-F3線の断面図である。
【０１３１】
外装シートには、エンボス加工によって凹凸形状（皺）が形成されている。より、具体的には、外装シート６０には、凸部61と凹部62が形成されている。凹部62は、エンボス加工によって厚み方向に圧搾された部分であり、凸部61よりも外装シートの厚みが薄い部分である。凸部61は、凹部62よりも厚みが薄い部分であり、エンボス加工によって圧搾されていない部分又は凹部62よりも圧搾の程度が低い部分である。
【０１３２】
外装シート60は、目付10〜40ｇ／ｍ２の不織布からなる。本実施の形態は、目付25ｇ／ｍ２のスパンボンド不織布からなる。不織布の目付が40ｇ／ｍ２より大きいと、外装シートの毛羽立ちを抑えつつ外装シート60の柔軟性を確保することが難しく、毛羽が発生しやすくなる。一方、不織布の目付が10ｇ／ｍ２より小さいと、エンボス加工を施した際に凹凸が形成され難くなることがある。
【０１３３】
本実施の形態の外装シート60は、不織布を構成する繊維の目付が略均一のシート材をエンボス加工することによって凸部61と凹部62が形成されている。よって、凸部61の繊維密度は、凹部62の繊維密度よりも低い。
【０１３４】
外装シート60の凸部61が形成された領域は、外装シート60の非肌当接面側からインジケーターを視認可能な第１領域R1を構成し、外装シート60の凹部62が形成された領域は、第１領域R1よりもインジケーターの視認性が高い第２領域R2を構成する。すなわち、外装シート60には、インジケーターの視認性が異なる２つの領域が形成されている。第１領域R1の少なくとも一部と第２領域R2の少なくとも一部は、インジケーターに重なって配置されている。
【０１３５】
このように、インジケーターの視認性が異なる第１領域R1と第２領域R2が外装シート60に形成されているため、着用補助者等が使い捨ておむつを外側から視認した際に、インジケーター全面が同じ態様で視認されず、部分的に視認される。例えば、インジケーター全体が同じように見えると、使い捨ておむつの機能面が強調され、デザイン性が低下したり、視認者が肌触り等の質感を感じにくくなることがある。
【０１３６】
しかし、インジケーターの視認性が高い第２領域R2と、インジケーターの視認性が低い第１部分とを設けることにより、例えば、縞状にインジケーターを示したり、段階的にインジケーターを示すことができる。よって、インジケーターが目立ちすぎることによる質感の低下を抑制できる。
【０１３７】
なお、第１領域R1と第２領域R2は、少なくともインジケーターの視認性が異なるように構成されていればよく、第１領域R1は、インジケーターによる変色態様が把握し難く構成されていてもよい。例えば、第１領域R1が、インジケーターによる変色態様が把握し難く構成されている場合であっても、着用補助者は、第２領域R2を介してインジケーターの変色態様を把握することができ、交換時期を把握することができる。
【０１３８】
また、第１領域R1と第２領域R2が区別できる色彩を呈していることによって、第１領域R1の視認性と第２領域R2の視認性が異なるように構成されていてもよい。具体的には、例えば、外装シートを構成する繊維の密度や嵩が違うことにより、外装シートを構成する繊維による色彩が異なり、第１領域R1と第２領域R2が区別できる色彩を呈する。また、外装シートを構成する繊維の密度や嵩が違うことにより、外装シートを透かして見える色彩が異なり、第１領域R1と第２領域R2が区別できる色彩を呈する。
【０１３９】
なお、第１領域R1の少なくとも一部とインジケーターとが重なって配置されている構成及び第２領域R2の少なくとも一部とインジケーターとが重なって配置されている構成とは、第１領域R1及び第２領域R2が設けられた外装シート60とインジケーターとが直接重なっている構成のみならず、本実施の形態のようにバックシート60aを介して重なっている構成も含む概念である。換言すれば、図２及び図４に示す平面視において重なる位置関係である。
【０１４０】
また、外装シート60の光線透過率は、６０％以上90％以下であることが好ましい。かかる構成によれば、使い捨ておむつ10の非肌当接面側から、インジケーター65の変化（変色）について視認可能となる。本実施の形態の外装シート60の光線透過率は、７７％である。
【０１４１】
外装シート60の第１領域R1は、エンボス加工によって形成された凸部61であって、外装シート60の第２領域R2は、エンボス加工によって形成された凹部62である。凹部62は、エンボス加工によって繊維が圧着され、フィルム化している。そのため、エンボス加工前と比較して光線透過率が高くなる。一方、凸部61は、エンボス加工が施されていない部分であり、嵩が高く、凹部62よりも光線透過率が低い。
【０１４２】
このように、エンボス加工によって凹部62と凸部61とを形成することにより、インジケーターと厚み方向の距離が近い凹部62と、インジケーターと厚み方向の距離が遠い凸部61とを容易に形成できる。
【０１４３】
また、使い捨ておむつの外側の表面を構成する外装シート60にエンボス加工による凹部62と凸部61を形成することにより、使い捨ておむつの外側の表面の肌触りを向上させることができる。
【０１４４】
また、外装シートの凸部６１と凹部６２の厚み方向における寸法差は、０．５５ｍｍ以上であることが望ましい。外装シートの凸部６１と凹部６２の厚み方向における寸法差は、０．５５ｍｍ以上の場合には、凸部と凹部によるインジケーターの視認性が異なり易く、インジケーターの機能を発揮しつつ使い捨ておむつ全体の質感を効果的に向上できる。
【０１４５】
なお、凸部６１と凹部６２の厚み方向における寸法差は、例えば、以下の方法によって測定できる。使い捨ておむつに外装シートが接合されている場合には、外装シートをコールドスプレー（例えば、MIKASA MG-3003）によって剥がす。次いで、外装シートの測定部位となる凹部と凸部を含む領域を、例えばコクヨ社製カッターナイフ替刃ＨＡ−１００を使用して切り出す。顕微鏡（キーエンス社  VHX-100)を用いて、製品長手方向の断面を観察し、凸部と凹部の厚みをそれぞれ測定し、凸部と凹部の厚みの差を算出する。サンプル数は、５であり、その差の平均を凸部６１と凹部６２の厚み方向における寸法差とする。
【０１４６】
バックシート60aよりも肌当接面側には、製品長手方向及び製品幅方向のうち少なくともいずれか一方に伸縮する伸縮部としてのクロッチ伸縮部200が設けられている。クロッチ伸縮部200の少なくとも一部は、インジケーターに重なって配置されている。
【０１４７】
クロッチ伸縮部200が製品長手方向に伸縮することにより、インジケーター、バックシート60a及び外装シート60も製品長手方向に収縮する。このとき、外装シート60の凹部62は、繊維が密であるため収縮し難く、外装シート60の凸部61は、繊維が疎であるため収縮し易い。そのため、クロッチ伸縮部と重なる外装シート60は、凸部61の厚み方向の寸法と、凹部62の厚み方向の寸法との差異がより顕著になる。外装シート60の凸部61と凹部62の厚み方向の寸法の差が大きくなることにより、第１領域R1の視認性と第２領域R2の視認性の違いも顕著になる。
【０１４８】
また、クロッチ伸縮部によって収縮された際に凸部61がバックシート60a側（インジケーター側）から浮き上がるように変形するため、凸部61が厚くなり、凸部61を構成する繊維が乱反射する。よって、更に、第１領域R1におけるインジケーターの視認性が低下する。
【０１４９】
バックシート60aと外装シート60は、バックシート60a又は外装シート60に間欠的に塗布された接着剤を介して互いに接合されている。本実施の形態では、バックシート60aと外装シート60とが接する全面に亘ってカーテン塗工によって接着剤が付されており、この接着剤を介してバックシート60aと外装シート60とが接合されている。
【０１５０】
例えば、外装シート60とバックシート60aが、直接塗工によって全面に塗布された接着剤を介して接合されている場合には、外装シート60とバックシート60aとが一体化して変形するため、外装シート60とバックシート60aが柔軟に変形し難くなる。よって、クロッチ伸縮部等が収縮した場合であってもクロッチ伸縮部の収縮によって外装シート60が収縮し難くなることがある。また、風合いも落ちて下着らしくなくなることがある。このような問題を鑑みて、外装シート60とバックシート60aとの接着面積率は、20％以下が好ましい。
【０１５１】
バックシート60a又は外装シート60に間欠的に塗布された接着剤を介して互いに接合されているため、外装シート60とバックシート60aが接合された部分と接合されていない部分とが設けられる。よって、外装シート60とバックシート60aが接合された部分によって位置ずれを抑制しつつ、外装シート60とバックシート60aが接合されていない部分をクロッチ伸縮部の収縮によって柔軟に変形させて、外装シート60の凸部61と凹部62との視認性をより異ならせることができる。
【０１５２】
なお、外装シート60とバックシート60aとの接着面積率が３％以下の場合には、接着点が少な過ぎ、収縮時に外装シート60とバックシート60aとの浮きが過度に発生することがある。比較的視認性が高い第１領域においても、複数の接合点を持てなくなることで浮きが発生し、視認性が低下することがある。よって、視認性の違いが、凸部61と凹部62の配置パターンではなく、接着点による収縮パターンとなることがある。よって、接着面積率は、３％よりも高いことが望ましい。
【０１５３】
伸縮部の収縮方向である製品長手方向における第１領域R1の寸法は、３．０ｍｍ以上１５．０ｍｍ以下であり、収縮方向と直交する直交方向である製品幅方向における第１領域R1の寸法は、２．０ｍｍ以上１３．６ｍｍ以下である。製品幅方向における第１領域R1の寸法に対する製品長手方向における第１領域R1の寸法の比率は、１．１〜１．５である。
【０１５４】
第１領域R1の寸法が２．０ｍｍ未満の場合は、凹部と凸部による視認性の違いがわかり難く、好ましくない。また、第１領域R1の寸法が１５．０ｍｍよりも大きい場合は、インジケーターそのものが見え難くなることがあり、更に毛羽立ちが発生し易くなって下着らしい生地感が損なわれるおそれがあるため、好ましくない。
【０１５５】
クロッチ伸縮部の収縮方向における第１領域R1の長さが、直交方向における第１領域R1の長さよりも長いため、クロッチ伸縮部200の収縮によって外装シート60が収縮した際に、収縮方向における第１領域R1の寸法と、直交方向における第１領域R1の寸法とを近づけることができる。
【０１５６】
また、例えば、直交方向における第１領域R1の寸法に対する収縮方向における第１領域R1の寸法の比率が１．５倍より高いと、外装シート60が収縮した状態においても収縮方向における第１領域R1の寸法が長くなり過ぎ、凸部61の平面視における形状が尖った形状になる。よって、着用補助者等が外装シート60を硬く感じたり、刺激の強いイメージを得たりすることがある。このような質感のイメージ低下を抑制するために、収縮状態における直交方向における第１領域R1の寸法と、収縮方向における第１領域R1の寸法とが近い方が好ましい。収縮状態における直交方向における第１領域R1の寸法と、収縮方向における第１領域R1の寸法とが近づけることにより、凸部61が正方形や円形に近くなり、尖ったイメージを抑制できる。
【０１５７】
本実施の形態の伸長状態における製品長手方向の第１領域R1の寸法は、７ｍｍであり、製品幅方向の第１領域R1の寸法は、６ｍｍである。また、クロッチ伸縮部による外装シート60の収縮率は、１．１倍以上１．５倍以下である。例えば、外装シート60の収縮率が１．１倍未満であると、外装シート60の収縮が十分でなく、凸部61を非肌当接面側に十分に浮き上がらせることができない。一方、外装シート60の収縮率が１．５倍より高いであると、凹部62が形成された第２領域R2も収縮してしまい、第２領域R2を介してインジケーターを視認できなくなることがある。
【０１５８】
また、外装シート60の収縮方向は、外装シート60を構成する不織布の繊維の配向方向に沿っていることが望ましい。不織布の繊維の配向方向において外装シート60が収縮することにより、繊維間距離が狭くなるのではなく繊維が収縮するため、各繊維が配向と直交方向に3次元的に持ち上がる形で縮もうと変形し、第１領域R1の嵩をより高く形成できる。一方、繊維の配向方向と直交する方向に収縮すると、繊維間距離が狭くなるように変形し、繊維同士が寄せられる2次元的に変形するため、第１領域R1の嵩を効果的に高く形成できない。
【０１５９】
なお、製品幅方向における第１領域R1の寸法に対する製品長手方向における第１領域R1の寸法の比率は、１．１〜１．５は、クロッチ伸縮部の伸縮率に基づいて設定できる。
【０１６０】
（５）比較評価
表１は、外装シートの比較評価結果を示す。表１に示すように、実施例１〜実施例３、及び比較例１〜３に係る外装シートについて試験を実施した。 
【表１】
2014104144.tif 000003
【０１６１】
表１に示すように、実施例１〜３、及び比較例１〜３に係る外装シートについて比較評価を行った。比較評価の試験では、市販のユニ・チャーム株式会社製の使い捨ておむつ「ムーニー テープタイプ Ｓサイズ」を用い、実施例１〜３に係る外装シート及び比較例１〜３に係る外装シートを使い捨ておむつに付け替えることによって、評価試験用のサンプルを準備した。なお、実施例１、実施例２及び比較例１〜３に係る外装シートは、スパンボンド不織布からなり、実施例３に係る外装シートは、スルーエアー不織布からなる。
【０１６２】
評価試験では、ユニ・チャーム株式会社製の使い捨ておむつ「ムーニーテープタイプ Ｓサイズ」普段使用している母親２０名を対象として、「インジケーターの見え方につき、インジケーター全体で同じであるか」と質問をした。
【０１６３】
当該質問に対して、以下の（１）である人数の比率が７０％を超えるサンプルを官能評価（触感）が良好であり、○と評価した。また、以下の（１）である人数の比率が７０％以下のサンプルを官能評価（触感）が十分に良好でなく、×と評価した。 
（１）インジケーター全体で見え方に違いがある
（２）インジケーター全体で見え方に違いがない（同じである）
このような評価試験の結果によれば、凹部と凸部の厚み方向の寸法差は、０．５５mm以上であることが好ましい。
【０１６４】
（６）その他の実施形態
また、本実施の形態の平面視における凹部62の形状（エンボスパターン）は、ひし形形状であるが、少なくとも凹部62と凸部61との両方がインジケーターに重なって配置されていればよく、この構成に限られない。
【０１６５】
例えば、インジケーターが製品長手方向に沿って配置される使い捨ておむつにあっては、凹部62は、製品幅方向に延び、かつ製品長手方向に間隔を空けて複数形成されていてもよい。また、インジケーターが製品幅方向に沿って配置される使い捨ておむつにあっては、凹部62は、製品長手方向に延び、かつ製品幅方向に間隔を空けて複数形成されていてもよい。
【０１６６】
また、本実施の形態のインジケーターは、製品長手方向に沿って３本の設けられており、各インジケーターの幅方向の寸法及び製品長手方向の寸法は、同じである。しかし、製品長手方向又は製品幅方向において間隔を空けて複数設けられたインジケーターにおいて、製品長手方向中央又は製品幅方向中央に位置する中央インジケーターの面積が、中央インジケーターより製品長手方向外側又は製品幅方向外側に位置する側部インジケーターの面積よりも大きくてもよい。
【０１６７】
複数のインジケーターにおいて面積が一定であると、着用補助者によっては、インジケーターによって単一的で機械的なイメージを感じることがある。しかし、複数のインジケーターの面積が異なるように構成することによって、インジケーターの形状によって立体感を出すことができ、より生地感や柔軟性を付与できる。特に、製品幅方向中心に位置する中央インジケーターの幅を大きくし、側部インジケーターの幅を小さくすることにより、身体の中心が手前側に位置し幅方向外側に向かって奥行方向に広がるように使い捨ておむつの形状を強調することができ、より立体感が向上する。
【０１６８】
更に、製品長手方向中央又は製品幅方向中央に位置する中央インジケーターは、側部インジケーターよりも体液に接し易く変色し易い。よって、中央インジケーターの面積が側部インジケーターの面積よりも大きいことにより、変色し易いインジケーターを目立たせることができる。
【０１６９】
なお、面積が大きい構成とは、インジケーターの延びる方向と直交する方向である幅が長い構成や、インジケーターの延びる方向の長さが長い構成を例示できる。
【０１７０】
また、外装シート60は、インジケーターの視認性が異なる第１領域R1と第２領域R2とが設けられていればよく、第１領域R1と第２領域R2の具体的な構成としては、エンボス加工によって形成された凸部61と凹部62に限定されてない。
【０１７１】
例えば、第１領域R1における外装シート60の厚みが、第２領域R2における外装シート60の厚みよりも厚い構成されていてもよいし、第１領域R1における外装シート60を構成する不織布の繊維密度は、第２領域R2における外装シート60を構成する不織布の繊維密度よりも高く構成されていてもよいし、第１領域R1における外装シート60を構成する不織布の繊維目付は、第２領域R2における外装シート60を構成する不織布の繊維密度よりも高く構成されていてもよいし、これらの構成が組み合わされていてもよい。
【０１７２】
例えば、第１領域R1における外装シート60を構成する不織布の繊維目付を、第２領域R2における外装シート60を構成する不織布の繊維密度よりも高く構成することによって、嵩が高い凸部と嵩が低い凹部を有する外装シートを得ることができる。この外装シートによれば、凹部の繊維量が凸部の繊維量よりも少ないため、凸部と凹部とにおいて視認性の差が生じやすくなる。
【０１７３】
上述した実施形態では、使い捨ておむつ10が乳幼児用として好適に用いることができる旨説明したが、本発明の適用範囲は、乳幼児用の使い捨ておむつに限定されるものではなく、例えば小児用や大人用の使い捨ておむつにも勿論適用し得る。
【０１７４】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【０１７５】
10…使い捨ておむつ
20…前胴回り域
25…股下域
30…後胴回り域
35…脚回り開口部
40…吸収体
40a…吸収コア
40b…コアラップ
50…トップシート
60a…バックシート
60…外装シート
61…凸部
62…凹部
70…サイドフラップ
75…レッグ伸縮部
80…レッグサイドギャザー
90…ファスニングテープ
200…クロッチ伸縮部
R1…第１領域
R2…第２領域
【図１】
2014104144.tif 000004
【図２】
2014104144.tif 000005
【図３】
2014104144.tif 000006
【図４】
2014104144.tif 000007
【図５】
2014104144.tif 000008
【図６】
2014104144.tif 000009
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
前胴回り域と、後胴回り域と、前記前胴回り域と前記後胴回り域との間に位置する股下域とを有し、
前記前胴回り域から前記後胴回り域に向かう製品長手方向と、前記製品長手方向と直交する製品幅方向と、を有し、
前記股下域を跨ぎ、かつ前記前胴回り域と前記後胴回り域の少なくとも一方に延びる吸収体と、
前記吸収体よりも非肌当接面側に配置された液不透過性のバックシートと、
前記バックシートより非肌当接面側に配置された不織布からなる外装シートと、
前記バックシートより肌当接面側に配置され、水分と接触すると視覚的に変化するように構成されているインジケーターと、を備える使い捨ておむつであって、
前記外装シートには、前記外装シートの非肌当接面側から前記インジケーターを視認可能な第１領域と、前記第１領域よりも前記インジケーターの視認性が高い第２領域と、が設けられており、
前記第１領域の少なくとも一部と前記第２領域の少なくとも一部は、前記インジケーターに重なって配置されている、使い捨ておむつ。
【請求項２】
前記バックシートより肌当接面側には、前記製品長手方向及び前記製品幅方向のうち少なくともいずれか一方に伸縮する伸縮部が設けられており、
前記伸縮部の少なくとも一部は、前記インジケーターに重なって配置されている、請求項１に記載の使い捨ておむつ。
【請求項３】
前記バックシートと前記外装シートは、前記バックシート又は前記外装シートに間欠的に塗布された接着剤を介して互いに接合されている、請求項２に記載の使い捨ておむつ。
【請求項４】
前記伸縮部の収縮方向における前記各第１領域の寸法は、３．０ｍｍ以上１５．０ｍｍ以下であり、
前記収縮方向と直交する直交方向における前記各第１領域の寸法は２．０〜１３．６ｍｍであり、
前記直交方向における前記各第１領域の寸法に対する前記収縮方向における前記各第１領域の寸法の比率は、１．１〜１．５である、請求項２又は請求項３に記載の使い捨ておむつ。
【請求項５】
前記外装シートには、エンボス加工によって凸部と凹部が形成されており、
前記第１領域は、前記凸部が設けられた領域であって、前記第２領域は、前記凹部が設けられた領域である、請求項１から請求項４のいずれかに記載の使い捨ておむつ。
【請求項６】
前記凸部と前記凹部の厚み方向における寸法差は、０．５５ｍｍ以上である、請求項５に記載の使い捨ておむつ。
【請求項７】
前記インジケーターは、前記製品長手方向又は前記製品幅方向において間隔を空けて複数設けられており、
前記製品長手方向中央又は前記製品幅方向中央に位置する中央インジケーターの面積は、前記中央インジケーターより前記製品長手方向外側又は前記製品幅方向外側に位置する側部インジケーターの面積よりも大きい、請求項１から請求項６のいずれかに記載の使い捨ておむつ。
【請求項８】
前記外装シートの前記インジケーターと重なる重畳領域と前記外装シートの前記重畳領域の周囲の領域とのL*a*b*表色系のL*の色差は、前記インジケーターが変色する前の状態より前記インジケーターが変色した後の状態の方が高い、請求項１から請求項７のいずれかに記載の使い捨ておむつ。